(57)【要約】【課題】タッチスクリーンに具現されるキーボードの使用感を向上させ、タッチの信頼性を向上させるためのタッチスクリーン用キーボードパッドを提供する。【解決手段】本発明はタッチスクリーンに脱着するように形成されたキーボードパッドに関し、具体的には、前記タッチスクリーンをカバーし、前記タッチスクリーンを通じて具現されるキーボードの各キーに対応して、凸に突出された多数個の突出部を含んで構成される。【選択図】図３
2012050054.tif 000002
【特許請求の範囲】
【請求項１】
タッチスクリーンをカバーし、前記タッチスクリーンを通じて具現されるキーボードの各キーに対応して、凸に突出された多数個の突出部を含んで構成されることを特徴とするタッチスクリーン用キーボードパッド。
【請求項２】
前記キーボードパッドは透明で柔軟なゴムまたはシリコーン材質で形成されることを特徴とする請求項１に記載のタッチスクリーン用キーボードパッド。
【請求項３】
前記突出部は前記タッチスクリーンに具現されるクアーティー（ＱＷＥＲＴＹ）型キーボードに対応して形成されることを特徴とする請求項１に記載のタッチスクリーン用キーボードパッド。
【請求項４】
前記突出部の上部と下部に夫々位置し、前記突出部を貫通して互いに連結される上部及び下部電極板をさらに含んで構成されることを特徴とする請求項１に記載のタッチスクリーン用キーボードパッド。
【請求項５】
前記上部及び下部電極板の間を連結するスプリングをさらに含んで構成されることを特徴とする請求項４に記載のタッチスクリーン用キーボードパッド。
【請求項６】
前記キーボードパッドの両側には前記タッチスクリーンまたは前記タッチスクリーンを含む端末機に脱着するための脱着手段を含んで構成されることを特徴とする請求項１に記載のタッチスクリーン用キーボードパッド。
【請求項７】
前記脱着手段は前記キーボードパッドの両側から延長され、前記タッチスクリーンを含む端末機をくるんで固定するバンドで形成されることを特徴とする請求項６に記載のタッチスクリーン用キーボードパッド。
【発明の詳細な説明】
【技術分野】
【０００１】
本発明はタッチスクリーンに脱着するように形成されたキーボードパッドに関する。
【背景技術】
【０００２】
一般的に、モバイルやＰＤＡのような端末機はショートメッセージサービス（ＳＭＳ）が提供されていて、最近は電子メールのようなテキスト基盤の通信が可能になるように技術が発展している。
【０００３】
これにより、モバイルを含んだ各種端末機には消費者の要求に応じてクアーティー（ＱＷＥＲＴＹ）型キーボードが提供されている。前記クアーティー型キーボードは、より早いテキストの入力が可能である長所を有する反面、端末機で占める比重が大きいため、その分スクリーンの大きさが小くなる短所がある。
【０００４】
このような問題点を解決するために、最近タッチスクリーンの技術が導入されたモバイルやＰＤＡのような端末機は、前記タッチスクリーンを通じてクアーティー型キーボードを具現することにより、スクリーンの大きさが小くなる短所を解決するようになった。
【０００５】
しかし、前記タッチスクリーンに具現されるクアーティー型キーボードを用いてテキストを入力することは使用感が悪いという短所がある。即ち、平らで硬い感じの前記タッチスクリーン上にクアーティー型キーボードが具現されるため、各キー（ｋｅｙ）のでこぼこの感触やキーが押される感触がないというのである。
【０００６】
また、前記タッチスクリーンに具現されるクアーティー型キーボードを用いてテキストを入力する過程で、タッチの信頼性が低下する短所がある。即ち、前記タッチスクリーンに具現されるクアーティー型キーボードを用いる時、指先で各キーの正確な位置を感知することができず、キーの位置を外れてもこれを指先で感知することができないため、偶発的な入力が頻繁に発生するのである。また、前記タッチスクリーンにクアーティー型キーボードをフルサイズで具現するためには、各キーの大きさが小さくて、各キーの間の間隔が狭くなるしかないため、その分キーの入力エラーが頻繁に発生するようになる。
【０００７】
一方、前記タッチスクリーンは普遍的に抵抗膜方式（Ｒｅｓｉｓｔｉｖｅ  Ｔｙｐｅ）と静電容量方式（Ｃａｐａｃｉｔｉｖｅ  Ｔｙｐｅ）を用いたタッチ技術が適用されている。
【０００８】
前記抵抗膜方式のタッチスクリーンは、第１透明電極が形成された第１透明フィルムと第２透明電極が形成された第２透明フィルムがドットスペーサー（ｄｏｔ  ｓｐａｃｅｒ）を間に置いて互いに対向する構造で製作される。従って、抵抗膜方式のタッチスクリーンを指やペンを用いてタッチすると、例えば上部の第１透明基板が曲がって第１、２透明電極が互いに接触し、この部分の抵抗値の変化を感知して座標を認識するようになる。
【０００９】
前記静電容量方式のタッチスクリーンは、上下の第１、２透明フィルムの間に透明電極が形成された構造で製作される。従って、指や導電性ペンが上部フィルムに接触されると、その部分で前記透明電極の静電容量の変化を感知して座標を認識するようになる。
【発明の開示】
【発明が解決しようとする課題】
【００１０】
本発明は従来の問題点を解決するためのものであり、タッチスクリーンに具現されるキーボードの使用感を向上させ、タッチの信頼性を向上させるためのタッチスクリーン用キーボードパッドを提供することを目的とする。
【課題を解決するための手段】
【００１１】
本発明のタッチスクリーン用キーボードパッドは、タッチスクリーンをカバーし、前記タッチスクリーンを通じて具現されるキーボードの各キーに対応して、凸に突出された多数個の突出部を含んで構成される。
前記突出部を含むキーボードパッドは透明で柔軟なゴムまたはシリコーン材質で形成される。
前記突出部は前記タッチスクリーンに具現されるクアーティー（ＱＷＥＲＴＹ）型キーボードに対応して形成される。
前記突出部の上部と下部に夫々位置し、前記突出部を貫通して互いに連結される上下電極板をさらに含んで構成される。
【００１２】
前記上部及び下部電極板の間を連結するスプリングをさらに含んで構成される。
前記キーボードパッドの両側には前記タッチスクリーンまたは前記タッチスクリーンを含む端末機に脱着するための脱着手段を含んで構成される。
前記脱着手段は前記キーボードパッドの両側から延長され、前記タッチスクリーンを含む端末機をくるんで固定するバンドで形成される。
【００１３】
本発明の特徴及び利点は添付図面に基づいた以下の詳細な説明によってさらに明らかになるであろう。
本発明の詳細な説明に先立ち、本明細書及び請求範囲に用いられた用語や単語は通常的かつ辞書的な意味に解釈されてはならず、発明者が自らの発明を最善の方法で説明するために用語の概念を適切に定義することができるという原則にしたがって本発明の技術的思想にかなう意味と概念に解釈されるべきである。
【発明の効果】
【００１４】
本発明のタッチスクリーン用キーボードパッドによると、前記キーボードパッドをタッチスクリーンの前面に付着した後、突出部を通じてタッチスクリーンに具現されるキーボードをタッチすることにより、使用感とタッチの信頼性がさらに向上される効果がある。
本発明のタッチスクリーン用キーボードパッドによると、前記キーボードパッドが透明な材質で形成されるため、前記タッチスクリーンをカバーした状態でも画面を遮らずに便利に用いることができる効果がある。
本発明のタッチスクリーン用キーボードパッドによると、前記突出部の上下面に形成される上部及び下部電極板によって静電容量方式のタッチスクリーンでも便利に用いることができる効果がある。
本発明のタッチスクリーン用キーボードパッドによると、前記脱着手段によってキーボードパッドをタッチスクリーンから簡便に付着または除去することができて、使用が便利になる効果がある。
【発明を実施するための最良の形態】
【００１５】
本発明の目的、特定の長所及び新規の特徴は添付図面に係る以下の詳細な説明および好ましい実施例によってさらに明らかになるであろう。本明細書において、各図面の構成要素に参照番号を付け加えるに際し、同一の構成要素に限っては、たとえ異なる図面に示されてもできるだけ同一の番号を付けるようにしていることに留意しなければならない。また、本発明の説明において、係わる公知技術に対する具体的な説明が本発明の要旨を不必要にぼかす可能性があると判断される場合は、その詳細な説明を省略する。
【００１６】
以下、本発明の好ましい実施例を添付の図面を参照して具体的に説明する。
本発明のタッチスクリーン用キーボードパッド１００は、図１から図４に図示されたように、タッチスクリーン１０をカバーし、前記タッチスクリーンを通じて具現されるキーボードの各キーに対応して、凸に突出された多数個の突出部１１０を含んで構成される。
【００１７】
前記キーボードパッド１００は前記タッチスクリーン１０に密着されるように平らに形成され、前記突出部１１０はその底面が前記タッチスクリーンの表面から離隔されるように凸に形成される。前記突出部１１０が前記タッチスクリーン１０と離隔された状態で凸に突出されることにより、指で押す時に弾性力が発生して、使用感が向上される。この際、前記突出部１１０は前記キーボードパッド１００とともに一体に成形する。
【００１８】
前記突出部１１０を含むキーボードパッド１００は透明で柔軟なゴムまたはシリコーン材質で形成される。
【００１９】
前記突出部１１０を含むキーボードパッド１００が透明な材質で形成されることにより、前記キーボードパッド１００を前記タッチスクリーン１０に具現されるキーボード上に正確に位置させることができ、前記キーボードパッド１００でタッチスクリーン１０をカバーした状態でも、前記タッチスクリーン１０に具現される全ての画面を見ることができるようになる。
【００２０】
また、前記突出部１１０を含むキーボードパッド１００が柔軟なゴムまたはシリコーン材質で形成されることにより、前記突出部１１０を押してタッチスクリーン１０を容易にタッチすることができ、前記突出部１１０を押している手を離すと、自体弾性力によって再び突出されて、常に形態を維持するようになる。
【００２１】
前記突出部１１０は図１及び図２に図示されたように、前記タッチスクリーン１０に具現されるクアーティー（ＱＷＥＲＴＹ）型キーボードに対応するように形成される。ここで、前記突出部１１０がクアーティー型キーボードに対応して形成されることは一つの実施例であり、広い意味では既存に用いられていたものや、今後変形可能な全ての形態のキーボードに対応して形成することができる。
【００２２】
前記キーボードパッド１００は、抵抗膜方式（Ｒｅｓｉｓｔｉｖｅ  Ｔｙｐｅ）と静電容量方式（Ｃａｐａｃｉｔｉｖｅ  Ｔｙｐｅ）のタッチスクリーン１０の両方で有用に用いることができるように形成される。
【００２３】
前記抵抗膜方式のタッチスクリーン１０に用いるキーボードパッド１００の実施例として、上述のように突出部１１０が凸に突出された構成で十分である。即ち、抵抗膜方式のタッチスクリーン１０は背景技術に説明したように、上部フィルムをタッチした時、互いに離れている第１、２透明電極が互いに接触してキーボードのキーが入力されるようにするものであるため、前記突出部１１０を通じて前記タッチスクリーンの上部フィルムを押すことができるように形成すれば良い。
【００２４】
前記静電容量方式のタッチスクリーン１０に用いるキーボードパッド１００の実施例として、図５に図示されたように、前記突出部１１０の上部と下部に夫々位置し、前記突出部１１０を貫通して互いに連結される上部及び下部電極板１２０ａ、１２０ｂを含んで構成されることができる。
【００２５】
前記静電容量方式のタッチスクリーン１０は、背景技術に説明したように、指や導電性ペンを用いて上部フィルムをタッチした時、透明電極の静電容量が変化してキーボードのキーが入力されるようにするものであるため、前記キーボードパッド１００は非導電性材質で形成する一方、前記突出部１１０には指や導電性ペンが触れた時に導電性を帯びて前記タッチスクリーンに接触する上部及び下部電極板１２０ａ、１２０ｂが形成されるのである。
【００２６】
前記上部及び下部電極板１２０ａ、１２０ｂの実施例として、図６に図示されたように、前記上部及び下部電極板１２０ａ、１２０ｂの間がスプリング１３０で連結される。この場合、前記上部電極板１２０ａは突出部１１０の上面に固定され、前記下部電極板１２０ｂはスプリング１３０の端に結合されて前記タッチスクリーン１０に密着された状態を維持するようになる。従って、前記上部電極板１２０ａをタッチした時、下部電極板１２０ｂを通じるタッチスクリーン１０のタッチ信頼性が高くなる。
【００２７】
前記上部及び下部電極板１２０ａ、１２０ｂは、タッチスクリーン１０に具現されるキーボードを遮らないように透明な材質で形成する。前記透明な素材の上部及び下部電極板１２０ａ、１２０ｂは例えば伝導性フィルムで形成することができる。
【００２８】
前記キーボードパッド１００は、前記タッチスクリーン１０または前記タッチスクリーンを含む端末機２０に脱着するための脱着手段１４０を含んで構成される。即ち、前記キーボードパッド１００は脱着手段１４０によって前記タッチスクリーン１０上に簡便に付着または除去することができるようになる。
【００２９】
前記脱着手段１４０は、前記キーボードパッド１００の両側から延長され、前記タッチスクリーン１０を含む端末機２０をくるんで固定するバンドで形成される。前記脱着手段１４０としてバンドは一つの実施例であり、広い意味では、キーボードパッド１００をタッチスクリーン１０に貼り付けて外すことが可能な吸着板や、接着テープまたは端末機２０に嵌めて取り付けるケースなどの全ての形態の適用が可能である。
【００３０】
このような構成の本発明によると、前記キーボードパッド１００をタッチスクリーン１０の前面に付着した後、突出部１１０を通じてタッチスクリーン１０に具現されるキーボードをタッチすることにより、使用感とタッチの信頼性がさらに向上される。
【００３１】
また、前記キーボードパッド１００が透明な材質で形成されるため、前記タッチスクリーン１０をカバーした状態でも画面を遮らずに便利に用いることができるようになる。
また、前記突出部１１０の上下面に形成される上部及び下部電極板１２０ａ、１２０ｂによって、静電容量方式のタッチスクリーン１０でも便利に用いることができるようになる。
【００３２】
また、前記脱着手段１４０によって、キーボードパッドをタッチスクリーンから簡便に付着または除去することができて、使用が便利になる。
【００３３】
以上、本発明を具体的な実施例に基づいて詳細に説明したが、これは本発明を具体的に説明するためのものであり、本発明によるタッチスクリーン用キーボードパッドはこれに限定されず、該当分野における通常の知識を有する者であれば、本発明の技術的思想内にての変形や改良が可能であることは明白であろう。
本発明の単純な変形乃至変更はいずれも本発明の領域に属するものであり、本発明の具体的な保護範囲は添付の特許請求の範囲により明確になるであろう。
【図面の簡単な説明】
【００３４】
【図１】本発明が適用されたタッチスクリーン用キーボードパッドを図示した斜視図である。
【図２】本発明が適用されたタッチスクリーン用キーボードパッドを図示した斜視図である。
【図３】本発明が適用されたタッチスクリーン用キーボードを図示した断面図である。
【図４】要部拡大図である。
【図５】本発明が適用されたタッチスクリーン用キーボードパッドの他の実施例を図示した断面図である。
【図６】本発明が適用されたタッチスクリーン用キーボードパッドのまた他の実施例を図示した断面図である。
【符号の説明】
【００３５】
１０  タッチスクリーン
２０  端末機
１００  キーボードパッド
１１０  突出部
１２０ａ、１２０ｂ  上部及び下部電極板
１３０  スプリング
１４０  脱着手段
【図１】
2012050054.tif 000003
【図２】
2012050054.tif 000004
【図３】
2012050054.tif 000005
【図４】
2012050054.tif 000006
【図５】
2012050054.tif 000007
【図６】
2012050054.tif 000008